(57)【要約】【課題】ある表示画像を立体映像に重ね合わせる場合において、より簡易な手段で立体映像に表示画像を重ねあわせることができ、表示画像の奥行き方向の違和感を軽減できる表示制御装置を提供することを目的とする。【解決手段】本発明の立体映像表示制御装置は、立体映像を表示させるための立体映像情報と、当該立体映像情報と重ね合わせることが可能であり、前記立体映像情報よりも、視聴者に対する奥行き方向の表示位置が近くに位置する第１付加画像と、を取得する取得手段と、前記第１付加画像と異なる第２付加画像を前記立体映像情報に重ね合わせる付加手段と、を備え、前記付加手段は、前記第２付加画像を前記立体映像情報に重ね合わせる際、前記第１付加画像よりも、視聴者に対する奥行き方向の表示位置が近くに位置するよう調整する。【選択図】図１
2012089906.tif 000002
【特許請求の範囲】
【請求項１】
立体映像を示す立体映像情報と、前記立体映像情報が示す立体映像に重畳させて表示される第１付加画像を示す第１付加情報と、を取得する第１取得手段と、
前記立体映像情報が示す立体映像に重畳させて表示される第２付加画像を示す第２付加情報を取得する第２取得手段と、
前記立体映像、前記第１付加画像および前記第２付加画像を重畳させた重畳画像を、前記第２付加画像が前記第１付加画像よりも立体視された際に手前に表示されるようにして、生成する生成手段と、
前記生成された重畳画像を表示する表示手段と、
を備える表示制御装置。
【請求項２】
立体映像を示す立体映像情報と、前記立体映像情報が示す立体映像に重畳させて表示される第１付加画像を示す第１付加情報と、当該第１付加画像の視聴者に対する奥行き方向の表示位置を示す第１位置情報と、を取得する第１取得手段と、
前記立体映像情報が示す立体映像に重畳させて表示される第２付加画像を示す第２付加情報を取得する第２取得手段と、
前記第１位置情報に基づいて、前記第２付加画像の視聴者に対する奥行き方向の表示位置を示す第２位置情報を決定する決定手段と、
前記第２位置情報に基づいて、前記立体映像に前記第２付加画像を重畳させた重畳画像を生成する生成手段と、
前記生成された重畳画像を表示する表示手段と、
を備える表示制御装置。
【請求項３】
前記第１付加画像は、外部から取得される情報であり、
前記第２付加画像は、装置内に予め記録された情報である、
請求項１に記載の表示制御装置。
【発明の詳細な説明】
【技術分野】
【０００１】
本発明は、立体映像を表示させる表示制御装置に関する。特に、立体映像に対し、装置に予め記録された画像（以下、装置画像と称する）を重ねて表示させる装置に関する。装置画像は、例えば、チャンネルの情報や音量の情報、ディスプレイの輝度・コントラスト量・色温度などを調整するための情報、再生装置の画質を調整するための情報を示す画像などが考えられる。
【背景技術】
【０００２】
従来の表示制御装置は、例えば、特許文献１に記載されている。
【０００３】
この表示制御装置は、立体映像に対して字幕を重ねて表示できるようにしている。この表示制御装置は、立体映像に対して字幕が適切な位置に配置されるよう、字幕の視聴者に対する奥行き方向の表示位置を調整するものである。
【先行技術文献】
【特許文献】
【０００４】
【特許文献１】特開２００４−２７４１２５号公報
【発明の概要】
【発明が解決しようとする課題】
【０００５】
ところで、表示制御装置では、立体映像に関連して生成される字幕だけでなく、例えば、装置画像も、視聴者に対する奥行き方向の表示位置を調整する必要がある。これは、装置画像が、字幕と同様に、立体映像よりも奥に表示されると、違和感のある映像になってしまうからである。例えば、図９のように、左眼映像と右眼映像に、視差の調整のない装置画像が重ね合わされた場合、左眼映像と右眼映像による一部の立体映像よりも装置画像が奥に位置した違和感のある映像になってしまう可能性がある。つまり、装置画像に関しても字幕と同様に視差の調整が必要である。
【０００６】
そこで本発明は、ある装置画像を立体映像に重ね合わせる場合において、より簡易な手段で立体映像に装置画像を重ねあわせることができ、立体映像に対する装置画像の奥行き方向の違和感を軽減できる表示制御装置を提供することを目的とする。
【課題を解決するための手段】
【０００７】
すなわち、本発明は、立体映像を示す立体映像情報と、前記立体映像情報が示す立体映像に重畳させて表示される第１付加画像を示す第１付加情報と、を取得する第１取得手段と、前記立体映像情報が示す立体映像に重畳させて表示される第２付加画像を示す第２付加情報を取得する第２取得手段と、前記立体映像、前記第１付加画像および前記第２付加画像を重畳させた重畳画像を、前記第２付加画像が前記第１付加画像よりも立体視された際に手前に表示されるようにして、生成する生成手段と、前記生成された重畳画像を表示する表示手段と、を備える。
【０００８】
また、本発明の他の手段では、立体映像を示す立体映像情報と、前記立体映像情報が示す立体映像に重畳させて表示される第１付加画像を示す第１付加情報と、当該第１付加画像の視聴者に対する奥行き方向の表示位置を示す第１位置情報と、を取得する第１取得手段と、前記立体映像情報が示す立体映像に重畳させて表示される第２付加画像を示す第２付加情報を取得する第２取得手段と、前記第１位置情報に基づいて、前記第２付加画像の視聴者に対する奥行き方向の表示位置を示す第２位置情報を決定する決定手段と、前記第２位置情報に基づいて、前記立体映像に前記第２付加画像を重畳させた重畳画像を生成する生成手段と、前記生成された重畳画像を表示する表示手段と、を備える。
【０００９】
また、好ましくは、前記第１付加画像は、外部から取得される情報であり、前記第２付加画像は、装置内に予め記録された情報である。
【発明の効果】
【００１０】
本発明の表示制御装置は、装置画像を立体映像に重ね合わせる場合において、より簡易な手段で立体映像に装置画像を重ね合わせることができ、立体映像に対する装置画像の奥行き方向の違和感を軽減できる。
【図面の簡単な説明】
【００１１】
【図１】図１は、立体映像表示制御装置１と他の装置の関係を示す図である。（実施例１）
【図２】図２は、立体映像表示制御装置１の構成例を示す図である。（実施例１）
【図３】図３は、立体映像表示装置２の構成例を示す図である。（実施例１）
【図４】図４は、本実施の形態に係る立体映像の撮影方法及び表示方法を説明するための図である。（実施例１）
【図５】図５は、立体映像の表示方法を説明するための図である。（実施例１）
【図６】図６は、立体映像ストリームの一例を示す図である。（実施例１）
【図７】図７は、立体映像の左眼映像と右眼映像の一例を示す図である。（実施例１）
【図８】図８は、字幕映像や装置画像を立体映像データに重ね合わせた場合の例を説明するための図である。（実施例１）
【図９】図９は、本発明の課題を説明するための図である。
【図１０】図１０は、立体映像表示制御装置の動作例を示すフローチャートである。（実施例１）
【図１１】図１１は、立体映像表示制御装置の動作例を示すフローチャートである。（実施例１）
【図１２】図１２は、他の実施の形態を示す図である。
【発明を実施するための形態】
【００１２】
本実施の形態において立体映像表示制御装置１は、立体映像に合成される字幕映像の視差情報に基づいて、立体映像に重ねる装置画像の視差情報を調整する。視差情報は、視聴者に対する奥行き方向の表示位置を示す情報の一例である。なお、本実施の形態では、字幕映像の視差情報に基づいた例を説明するが、字幕の視差情報に替えて、立体映像に付加される副映像（たとえば，ポップ・アップ・メニュー映像やボーナス・ビュー映像など）の視差情報を用いてもよい。
【実施例１】
【００１３】
以下、実施例１に係る立体映像表示制御装置１を説明する。図を用いて説明する。
【００１４】
図１は、立体映像表示制御装置１と他の装置との関係を示す図である。図２は、立体映像表示制御装置１の構成例を示す図である。以下、具体的に説明する。
【００１５】
〔１．立体映像表示制御装置１と他の装置との関係〕
立体映像表示制御装置１は、立体映像を表示するための立体映像表示装置２、立体映像ストリームが蓄積されているサーバ３、光ディスク４、アンテナ５及びメモリカード６と接続されている。
【００１６】
立体映像表示装置２は、液晶ディスプレイ、プラズマディスプレイ、又は、有機ＥＬディスプレイ等のディスプレイ２４を備え、映像データを表示するものである。立体映像表示装置２は、立体映像表示制御装置１から送信された映像データを表示可能である。なお、立体映像表示装置２は、立体映像表示制御装置１からの要求信号に基づき、画面サイズに関する情報を立体映像表示制御装置１に送信可能である。
【００１７】
具体的に立体映像表示装置２は、図３で示すように、コントローラ２２、メモリ２３、ディスプレイ２４、データ伝送インターフェース２１、および通信インターフェース２５で構成されている。
【００１８】
メモリ２３には、自己の画面サイズに関する情報が予め記憶されている。メモリ２３は、例えば、フラッシュメモリやＦＲＡＭ等で実現可能である。
【００１９】
コントローラ２２は、立体映像表示制御装置１から要求信号を受け付けると、メモリ２３に記憶された画面サイズに関する情報を読み出して、立体映像表示制御装置１に送信する。これによって、立体映像表示制御装置１は、立体映像表示装置２から画面サイズに関する情報を取得できる。なお、コントローラ２２は、例えば、マイクロプロセッサで実現できる。
【００２０】
また、データ伝送インターフェース２１は、立体映像表示制御装置１とデータの送受信を行なうためのインターフェースである。データ伝送インターフェース２１は、例えば、ＨＤＭＩコネクタ等で実現できる。
【００２１】
通信インターフェース２５は、アクティブシャッターメガネ７と通信を行なうためのインターフェースである。通信インターフェース２５は、例えば、赤外線やＢｌｕｅｔｏｏｔｈなどの無線、又は、有線でアクティブシャッターメガネ７との通信を確立する。
【００２２】
サーバ３は、立体映像ストリームが蓄積されているネットワークサーバである。サーバ３は、ネットワークに接続されており、家庭内におかれた立体映像表示制御装置１と接続可能である。サーバ３は、立体映像表示制御装置１からのアクセス要求に対応して、立体映像ストリームを立体映像表示制御装置１（ネットワーク通信インターフェース１３）に送信することが可能である。
【００２３】
光ディスク４は、立体映像ストリームが記録された記録メディアである。光ディスク４は、立体映像表示制御装置１のディスクドライブ１１に挿入可能である。なお、立体映像表示制御装置１（ディスクドライブ１１）は、光ディスク４に記録された立体映像ストリームを読み出すことが可能である。
【００２４】
アンテナ５は、放送局の放送装置から放送された立体映像ストリームを含む放送波を受信するためのアンテナである。アンテナ５は、立体映像表示制御装置１（チューナー１２）に対して受信した立体映像ストリームを含む放送波を送信するものである。
【００２５】
メモリカード６は、立体映像ストリームが記録された半導体メモリカード、又は半導体メモリを内部に有した記録媒体である。メモリカード６は、立体映像表示制御装置１（データ伝送インターフェース１５）に挿入可能である。なお、立体映像表示制御装置１（データ伝送インターフェース１５）は、メモリカード６に記録された立体映像ストリームを読み出すことが可能である。
【００２６】
〔２．立体映像の撮影方法及び表示方法〕
本実施の形態の具体的な構成例を説明する前に、立体映像の撮影方法及び表示方法の一例を説明する（図４）。図４は、立体映像の撮影方法及び表示方法を説明するための図である。
【００２７】
まず、立体映像の撮影方法について説明する。立体映像は、左眼用カメラと右眼用カメラとを有する複眼カメラで撮影可能である。本実施の形態の複眼カメラは、左眼用カメラの光軸と右眼用カメラの光軸を平行にした状態で立体映像を撮影するものである。なお、本実施の形態では、上記のような複眼カメラを対象としたがこれに限られず、立体映像を撮影可能なカメラであれば、仕様は特に拘わらなくてよい。
【００２８】
上述した複眼カメラにおいて、立体映像を撮影する場合、左右のカメラの各々で動画像を撮影する。このようにして複眼カメラでは、立体映像を表示するのに必要な、左眼用カメラで撮影された左眼映像と、右眼用カメラで撮影された右眼映像を生成する。具体的には、図７のような、左眼映像と右眼映像が生成される。
【００２９】
複眼カメラ（立体映像記録回路）は、このようにして生成された左眼映像と右眼映像を立体映像データとして記録メディア（例えば、光ディスクやメモリカード）に記録する。これによって、複眼カメラは、立体映像を表示する際に必要な立体映像データを生成できる。
【００３０】
ここで本実施の形態では、図示しない編集機器で、複眼カメラで生成された立体映像データに、関連情報を付加するようにしている。関連情報には、立体映像の視差情報、立体映像に付加される副映像、字幕映像、そして、立体映像に付加される副映像の視差情報、及び、字幕映像の視差情報が含まれている。立体映像に付加される副映像の視差情報及び字幕映像の視差情報は、立体映像との関係で奥行き方向の違和感が発生しないよう調整された情報である。つまり、字幕映像の視差情報は、立体映像の表示位置よりも字幕映像の表示位置が、視聴者に対して近くに位置するよう調整されている。したがって、立体映像表示制御装置１は、上記情報を取得し、立体映像データに字幕映像を重ね合わせて、立体映像表示装置２に表示させる際、違和感のない立体映像を視聴者に提供できるようになっている。なお、本実施の形態では、立体映像データと関連情報を併せて、立体映像ストリームと呼ぶ。また、具体的な立体映像ストリームの構成は、後述する。
【００３１】
次に、立体映像の表示方法について説明する。立体映像表示装置２は、図５のように、アクティブシャッターメガネ７を用いて立体映像を視聴する表示装置である。立体映像表示装置２の立体映像の表示例を説明する。立体映像表示制御装置１は、立体映像表示装置２に対して、左眼映像が示す画像データと右眼映像が示す画面データを交互に出力する。立体映像表示装置２では、立体映像表示制御装置１から取得した画面データをディスプレイ２４の画面上に順次表示する。
【００３２】
この際、立体映像表示制御装置１は、関連情報に含まれた立体映像の視差情報に基づいて、左眼映像と右眼映像の表示画面内の表示位置（オフセット）を調整する。このようにしてディスプレイ２４に表示された表示画面を、ユーザは、アクティブシャッターメガネ７を介して視聴する。
【００３３】
アクティブシャッターメガネ７は、ユーザの左右の何れかの視野を遮ることが可能に構成されている。したがって、アクティブシャッターメガネ７は、立体映像表示装置２に左眼映像が表示されると、ユーザの立体映像表示装置２に対する右眼の視野を遮る。一方で、アクティブシャッターメガネ７は、立体映像表示装置２に右眼映像が表示されると、ユーザの立体映像表示装置２に対する左眼の視野を遮る。つまり、図５のように、立体映像表示装置２に左眼映像を示す画面が表示されている場合は、ユーザは、左眼で映像を見ることになり、立体映像表示装置２に右眼映像を示す画面が表示されている場合は、ユーザは、右眼で映像を見ることになる。これによって、ユーザは、立体映像表示装置２に順次表示された画面を、立体映像として捉えることができる。
【００３４】
ここで、ユーザが立体映像を最適な状態で視聴することができる無歪み条件を説明する。なお複眼カメラは、左眼用カメラの光軸と右眼用カメラの光軸を平行にした状態で立体映像を撮影しているものとする。この場合、無歪み条件は、複眼カメラが立体映像を撮影した際の画角と、ユーザが立体映像表示装置を視聴する際の画角が一致し、かつ、複眼カメラが立体映像を撮影した際の左眼映像及び右眼映像のオフセットと、立体映像表示装置に立体映像を表示する際の左眼映像及び右眼映像のオフセットが一致することをいう。
【００３５】
例えば、図４において、立体映像データが、左右のカメラ間の距離情報６５ｍｍ、焦点距離５０ｍｍで撮影されたとする。左右のカメラ間の距離情報６５ｍｍは、人間の目の間の距離（約６３ｍｍ〜６８ｍｍ）に相当する値である。また、焦点距離５０ｍｍ（画角４６度）は、人間が普段見ている遠近感とほぼ等しい値である
このような場合、例えば、立体映像表示装置の横方向の画面サイズＷと、立体映像表示装置の最適な視聴距離Ｌを調整して、画角を一致させればよい。画角を一致させるとは、θｃとθｄを一致させることである。
【００３６】
また、上記のオフセットを一致させるため、左眼映像及び右眼映像を、画面内で以下のように調整して表示する。
【００３７】
立体映像表示制御装置１は、左眼映像の画面内の表示位置を、画面の中心から、左へ（ｄｃ／２）ｍｍ、つまり、３２．５ｍｍ分移動するよう調整する。また、立体映像表示制御装置は、右眼映像の画面内の表示位置を、画面の中心から、右へ（ｄｃ／２）ｍｍ、つまり、３２．５ｍｍ分移動するよう調整する。このようにして、立体映像データを表示する際の左眼映像及び右眼映像の表示の位置の関係を、立体映像データを撮影する際の左眼及び右眼カメラの距離情報に一致させることができる。すなわち、撮影時のカメラ間の距離情報ｄｃと、左眼映像と右眼映像の画面内の表示位置の関係ｄｄを一致させることができる。
【００３８】
上記のようにすれば、複眼カメラが立体映像を撮影した際の画角と、ユーザが立体映像表示装置を視聴する際の画角を一致させることができ、かつ、複眼カメラが立体映像を撮影した際の右眼映像と左眼映像のオフセットと、立体映像表示装置に立体映像を表示する際のオフセットを一致させることができる。このような状況で立体映像を視聴した場合、ユーザはより最適な立体映像を視聴することができる。
【００３９】
なお、上記実施の形態では、立体映像表示装置２は、アクティブシャッターメガネ７を用いた表示装置を説明したが、これに限られない。
【００４０】
〔３．立体映像ストリームの説明〕
本実施の形態において、立体映像表示制御装置１が、サーバ３、光ディスク４、アンテナ５及びメモリカード６などから取得する立体映像ストリームは、以下のような構成を持っている。図６に立体映像ストリームの構造の一例を示した。立体映像ストリームは、立体映像データと、立体映像データの関連情報と、で構成される。
【００４１】
立体映像ストリームに含まれる立体映像データは、複眼カメラの左右のカメラで撮影された映像を、任意の圧縮方式で符号化した情報である。任意の圧縮方式には、ＭＶＣ（Ｍｕｌｔｉ−ｖｉｅｗ  Ｖｉｄｅｏ  Ｃｏｄｉｎｇ）やＭＰＥＧ４−ＡＶＣ／Ｈ．２６４などが考えられるが、これに限られない。なお、圧縮された立体映像データには、上記圧縮方式で圧縮されているため、デコードするために必要な情報（デコード情報）が付加されている。
【００４２】
立体映像データの関連情報には、立体映像の視差情報、立体映像に付加される副映像、字幕映像、そして、立体映像に付加される副映像の視差情報、及び、字幕映像の視差情報が含まれている。
【００４３】
立体映像の視差情報は、左眼映像と右眼映像のズレ量を示している。つまり、左眼映像と右眼映像とを表示装置に表示する際、どの程度、画面内でずらす必要があるかを示している。例えば、立体映像の視差情報が  Ｗ  ｍｍである場合、画面内において、左眼映像を  Ｗ／２  ｍｍ左方向にずらし、右眼映像を  Ｗ／２  ｍｍ右方向にずらすとよいことになる。
【００４４】
一方、字幕映像の視差情報は、左眼映像及び右眼映像に対して、字幕映像をどの程度ずらして重ね合わせればよいかを示している。本実施の形態では、字幕映像の視差情報は、立体映像データに対する相対的なズレ量を示している。例えば、字幕映像のズレ量が  Ｙ  ｍｍである場合、左眼映像に対して字幕映像を  Ｙ／２  ｍｍ左方向にずらして重ね合わせ、右眼映像に対して字幕映像を  Ｙ／２  ｍｍ右方向にずらして重ね合わせればよいことになる。なお、立体映像に付加される副映像の視差情報も同様である。また、ズレ量をあらわす視差情報は、ｍｍ単位で表現しているが、これに限られず、ズレ量を映像データ内の画素を表すピクセル数で表現してもよい。
【００４５】
〔３．立体映像表示制御装置１の構成〕
立体映像表示制御装置１の構成を説明する。立体映像表示制御装置１は、ディスクドライブ１１、チューナー１２、ネットワーク通信インターフェース１３、メモリデバイスインターフェース１４、データ伝送インターフェース１５、バッファメモリ（フレームメモリ）１６、ＨＤドライブ１７、フラッシュメモリ１９及びＬＳＩ１８を備える。以下、各々の構成について具体的に説明する。
【００４６】
ディスクドライブ１１は、光ピックアップ等で構成され、光ディスク４から立体映像ストリームを読み出す。ディスクドライブ１１は、ＬＳＩ１８と接続されており、光ディスク４から読み出した立体映像ストリームをＬＳＩ１８に送信する。ディスクドライブ１１は、ＬＳＩ１８からの制御に応じて、光ディスク４から立体映像ストリームを読み出し、ＬＳＩ１８に送信する。
【００４７】
チューナー１２は、アンテナ５で受信した立体映像ストリームを含む放送波を取得する。チューナー１２は、取得した放送波の内、ＬＳＩ１８によって指定された周波数の立体映像ストリームを取り出す。チューナー１２は、ＬＳＩ１８と接続されており、取り出した立体映像ストリームをＬＳＩ１８に送信する。
【００４８】
ネットワーク通信インターフェース１３は、ネットワークを介してサーバ３と接続可能である。ネットワーク通信インターフェース１３は、サーバ３から送信された立体映像ストリームを取得する。
【００４９】
メモリデバイスインターフェース１４は、メモリカード６を装着可能に構成されており、装着されたメモリカード６から立体映像ストリームを読み出すことが可能である。メモリデバイスインターフェース１４は、メモリカード６から読み出された立体映像ストリームを、ＬＳＩ１８に送信する。
【００５０】
ＨＤドライブ１７は、ハードディスクなどの記録媒体を内蔵して構成され、記録媒体から読み出されたデータを、ＬＳＩ１８に送信する。また、ＨＤドライブ１７は、ＬＳＩ１８から受信したデータを、記録媒体に記録する。
【００５１】
データ伝送インターフェース１５は、ＬＳＩ１８から送信されたデータを、外部の立体映像表示装置２に送信するためのインターフェースである。データ伝送インターフェース１５は、データ信号及びコントロール信号を、立体映像表示装置２との間で送受信可能に構成されている。したがって、ＬＳＩ１８は、データ伝送インターフェース１５を介して、立体映像表示装置２を制御することが可能になっている。データ伝送インターフェース１５は、例えば、ＨＤＭＩコネクタ等で実現可能である。なお、データ伝送インターフェース１５は、データ信号を立体映像表示装置２に送信できれば、どのような構成であってもかまわない。
【００５２】
バッファメモリ１６は、ＬＳＩ１８が処理を行う際に、ワークメモリとして作用する。バッファメモリ１６は、例えば、ＤＲＡＭやＳＲＡＭなどで実現可能である。
【００５３】
フラッシュメモリ１９は、装置画像が予め記録されている。装置画像には、例えば、チャンネルの情報や音量の情報、ディスプレイの輝度・コントラスト量・色温度などを調整するための情報、再生装置の画質を調整するための情報を示す画像が含まれている。すなわち、ＬＳＩ１８は、フラッシュメモリ１９から読み出した装置画像を映像データに重ね合わせて立体映像表示装置２に表示させることができる。これによって、ＬＳＩ１８は、視聴者に装置の情報を提供できる。また、ＬＳＩ１８は、視聴者に設定画面を表示して、視聴者からの設定を受け付けることが可能になる。
【００５４】
ＬＳＩ１８は、立体映像表示制御装置１の各部を制御するコントローラである。マイクロコンピュータで実現してもよく、ハードワイヤードな回路で実現してもよい。
【００５５】
ＬＳＩ１８の内部には、ＣＰＵ１８１、ストリームコントローラ１８２、デコーダー１８３、ＡＶ入出力回路１８４、システムバス１８５及びメモリコントローラ１８６が実装されている。
【００５６】
個々の構成を具体的に説明すると、ＣＰＵ１８１は、ＬＳＩ１８全体を制御するものである。ＬＳＩ１８の各部は、ＬＳＩ１８からの制御に基づいて、各種制御を行なうように構成されている。また、ＣＰＵ１８１は、外部との通信も制御する。例えば、ＣＰＵ１８１は、データ伝送インターフェース１５を介して立体映像表示装置２に要求信号を送信し、画面サイズに関する情報を取得することが可能である。ＣＰＵ１８１は、取得した画面サイズに関する情報を、メモリコントローラ１８６を介してバッファメモリ１６に記録する。また、ＣＰＵ１８１は、サーバ３や光ディスク４、アンテナ５、メモリカード６から立体映像ストリームを取得する際、ディスクドライブ１１やチューナー１２、ネットワーク通信インターフェース１３、メモリデバイスインターフェース１４に制御信号を送信する。これによってディスクドライブ１１やチューナー１２、ネットワーク通信インターフェース１３、メモリデバイスインターフェース１４は、記録メディアや放送局等から立体映像ストリームを取得することができる。
【００５７】
ストリームコントローラ１８２は、サーバ３や光ディスク４、アンテナ５、メモリカード６、アクティブシャッターメガネ７との間のデータの送受信を制御するものである。例えば、ＣＰＵ１８１は、サーバ３から取得した立体映像ストリームを、メモリコントローラ１８６に送信する。
【００５８】
メモリコントローラ１８６は、ＬＳＩ１８の各部から送信されたデータを、バッファメモリ１６に書き込む。例えば、メモリコントローラ１８６は、ストリームコントローラ１８２から取得した立体映像ストリームを、バッファメモリ１６に記録する。また、メモリコントローラ１８６は、バッファメモリ１６に記録されたデータを、バッファメモリ１６から読み出す。そして、バッファメモリ１６は、読み出したデータをＬＳＩ１８の各部に送信する。
【００５９】
デコーダー１８３は、メモリコントローラ１８６からデータを取得すると、取得したデータをデコードする。ここで、デコーダー１８３に入力されるデータは、ＣＰＵ１８１の制御に基づいている。具体的には、ＣＰＵ１８１は、メモリコントローラ１８６を制御して、バッファメモリ１６に記録された立体映像ストリームを読み出させる。そして、ＣＰＵ１８１は、読み出した立体映像ストリームをデコーダー１８３に送信するようメモリコントローラ１８６を制御する。これによって、メモリコントローラ１８６からデコーダー１８３に立体映像ストリームが入力される。
【００６０】
具体的にデコーダー１８３では、入力された立体映像ストリームを分離する。本実施の形態では、デコーダー１８３は、立体映像ストリームから立体映像データと関連情報を分離する。そして、デコーダー１８３は、関連情報をバッファメモリ１６に記録する。
【００６１】
また、デコーダー１８３は、立体映像データに含まれるデコード情報に基づいて、圧縮された立体映像データをデコードする。なお、デコーダー１８３は、デコードした情報をメモリコントローラ１８６に送信する。メモリコントローラ１８６では、取得した立体映像データを、バッファメモリ１６に記録する。
【００６２】
ＡＶ入出力回路１８４は、バッファメモリ１６から立体映像データ及び関連情報、画面サイズに関する情報を読み出して、立体映像表示装置２に表示させる表示画像を生成する。そして、ＡＶ入出力回路１８４は、生成した表示画像を、データ伝送インターフェース１５を介して立体映像表示装置２に送信する。
【００６３】
具体的には、ＡＶ入出力回路１８４は、立体映像データ及び立体映像の視差情報、画面サイズに関する情報を読み出す。そしてＡＶ入出力回路１８４は、立体映像の視差情報及び画面サイズに関する情報に基づいて、立体映像データを画面内の表示位置（視差情報）を決定する。そしてＡＶ入出力回路１８４は、決定された視差情報に基づいて、立体映像データの表示位置を調整した表示画面のデータを、データ伝送インターフェース１５を介して立体映像表示装置２に出力する。なお、視差情報は、立体映像データの左眼映像と右眼映像との画面内での表示位置のずれ量を示す情報である。したがって、ＡＶ入出力回路１８４は、例えば、視差情報が３０ｍｍであれば、左眼映像の中心と右眼映像の中心を３０ｍｍずらして、表示装置に表示させるよう表示画面を生成する。この場合、ＡＶ入出力回路１８４は、例えば、表示画面の中心に対して、左眼映像を左へ１５ｍｍずらした表示画面を生成する。また、立体映像表示制御装置１は、表示画面の中心に対して、右眼映像を右へ１５ｍｍずらした表示画面を生成する。ＡＶ入出力回路１８４は、このようにして生成した表示画面を示すデータを、データ伝送インターフェース１５を介して立体映像表示装置２に送信する。これによって、立体映像表示装置２では、左眼映像を示す表示画面及び右眼映像を示す表示画面が順次表示される。
【００６４】
なお、ＡＶ入出力回路１８４は、字幕映像（又は、立体映像に付加される副映像）を立体映像データに重ね合わせるよう設定された場合、以下のように制御を行なう（図８）。ＡＶ入出力回路１８４は、関連情報をバッファメモリ１６より取得し、関連情報に含まれる字幕映像の視差情報に基づいて、左眼映像及び右眼映像に字幕映像を重ね合わせる。重ね合わせる位置は、以下の通りである。ＡＶ入出力回路１８４は、例えば、字幕映像の視差情報（ズレ量）が  Ｙ  ｍｍである場合、左眼映像に対して字幕映像を  Ｙ／２  ｍｍ左方向にずらして重ね合わせ、右眼映像に対して字幕映像を  Ｙ／２  ｍｍ右方向にずらして重ね合わせる。立体映像に付加される副映像も同様である。
【００６５】
ここで本実施の形態では、ユーザが、装置画像を立体映像データに重ねて表示するよう指示する場合がある（図８）。この場合、ＣＰＵ１８１は、以下の制御を行なう。
【００６６】
まず、ＣＰＵ１８１は、リモコンを介してユーザからの指示を受け付ける。リモコンからの指示は、立体映像表示制御装置１に設けられる赤外線センサで受信する。ＣＰＵ１８１は、ユーザからの指示が、装置画像の表示（例えば、装置の機能メニュー画面の表示）である場合、フラッシュメモリ１９より指示に対応する装置画像（機能メニュー画像）を取得する。そして、ＣＰＵ１８１は、バッファメモリ１６から字幕映像の視差情報（又はメニュー画面の視差情報）を取得する。ＣＰＵ１８１は、この取得した字幕映像の視差情報に基づいて、装置画像の視差情報を決定する。具体的に、ＣＰＵ１８１は、装置画像の視差情報（例えば  Ｚ  ｍｍ）が、字幕映像の視差情報（例えば  Ｙ  ｍｍ）よりも大きくなるようにする。
【００６７】
なお、本実施の形態では、ＣＰＵ１８１は、装置画像の視差情報が、字幕映像の視差情報よりも大きくなるように構成したが、装置画像の視差情報が、立体映像に付加される副映像の視差情報よりも大きくなるように構成してもかまわない。すなわち、ＣＰＵ１８１は、立体映像に関連する付加情報の、少なくとも１つの視差情報よりも装置画像の視差情報を大きくできるものであれば、どのような構成であってもかまわない。よって、ＣＰＵ１８１は、立体映像に関連する付加情報の全ての視差情報よりも装置画像の視差情報を大きくするようにしてよい。
【００６８】
説明に戻って、ＣＰＵ１８１は、このようにして得られた視差情報をＡＶ入出力回路１８４に入力し、ＡＶ入出力回路１８４に装置画像を立体画像に重ね合わせるよう指示を出す。
【００６９】
ＡＶ入出力回路１８４は、受信した装置画像の視差情報に基づき、立体映像に装置画像を重ね合わせる。例えば、装置画像の視差情報（ズレ量）が  Ｚ  ｍｍである場合、左眼映像に対して装置画像を  Ｚ／２  ｍｍ左方向にずらして重ね合わせ、右眼映像に対して装置画像を  Ｚ／２  ｍｍ右方向にずらして重ね合わせる。ＡＶ入出力回路１８４は、このようにして装置画像を重ね合わせた左眼映像及び右眼映像に対して、上記説明した視差情報で画面全体にオフセットをつけ、表示画面を示すデータを生成する。ＡＶ入出力回路１８４は、このようにして生成された表示画面を示すデータを、立体映像表示装置２に出力する。
【００７０】
これによって、立体映像表示制御装置１は、容易な手段で装置内の画像（装置画像）を立体映像に付加することができ、ユーザに対して表示する装置内の画像（装置画像）の奥行き方向の違和感を軽減できる。
【００７１】
なお、図示しないが、立体映像表示制御装置１の各部には電源が接続されており、電源から電力が供給されるように構成されている。
【００７２】
〔４．立体映像表示制御装置１の動作〕
次に、立体映像表示制御装置１の動作例を、図１０のフローチャートに基づいて説明を行なう。アンテナ５で得られた放送波に含まれる立体映像ストリームを立体映像表示装置２に表示させる場合を例にして説明を行なう。立体映像表示制御装置１は、アンテナ５から立体映像ストリームを取得するように設定されると、以下の動作を開始する。
【００７３】
まず、ＬＳＩ１８は、立体映像表示装置２に要求信号を送信して、立体映像表示装置２の画面サイズに関する情報を取得する。そしてＬＳＩ１８は、取得した画面サイズに関する情報をバッファメモリ１６に記憶する（Ｓ１）。そしてＬＳＩ１８は、チューナー１２を制御して、アンテナ５で得られた放送波から、立体映像ストリームを取得する（Ｓ２）。ＬＳＩ１８は、取得した立体映像ストリームをバッファメモリ１６に記憶する（Ｓ３）。ＬＳＩ１８は、バッファメモリ１６に記憶された立体映像ストリームを読み出し、立体映像ストリームを立体映像データ及び関連情報に分離する（Ｓ４）。ＬＳＩ１８は、分離した関連情報をバッファメモリ１６に記憶する。一方でＬＳＩ１８は、分離した立体映像データをデコードし、デコードした立体映像データをバッファメモリ１６に記憶する（Ｓ５）。ＬＳＩ１８は、バッファメモリ１６に記憶された画面サイズに関する情報、関連情報に含まれる立体映像の視差情報に基づいて、立体映像データの左眼映像と右眼映像の視差情報を算出する（Ｓ６）。
【００７４】
具体的には、以下の方法で、画面サイズに関する情報に基づいて、左眼映像と右眼映像の視差情報を調整する。つまり、ＬＳＩ１８は、画面サイズが大きければ、視差情報を大きくなるように調整し、画面サイズが小さければ、視差情報を小さくなるように調整する。
【００７５】
ＬＳＩ１８は、算出された視差情報に基づいて、デコードされた立体映像データに含まれる左眼映像、又は、右眼映像を表示画面にする（Ｓ７）。ＬＳＩ１８は、左眼映像及び右眼映像を示す表示画面を立体映像表示装置２に出力する（Ｓ８）。ＬＳＩ１８は、上記動作を繰り替えし行ない立体映像表示装置２に表示画面を順次出力する。
【００７６】
次に、ユーザによって装置画像の表示が指示された場合の動作例を図１１で説明する。
【００７７】
ステップＴ１〜Ｔ５は、ステップＳ１〜Ｓ５と同様なので、説明を省略する。ステップＴ５の後、ＬＳＩ１８は、バッファメモリ１６から字幕映像の視差情報を取得し、この取得した字幕映像の視差情報に基づいて、装置画像の視差情報を算出する（Ｔ６）。そして、ＬＳＩ１８は、算出した装置画像の視差情報に基づき、立体映像データに装置画像を重ね合わせる（Ｔ７）。重ね合わせた画像が重畳画像である。
【００７８】
ここで、装置画像に加えて字幕画像を立体映像データに重ね合わせることも可能である。このような場合、装置画像は、字幕画像よりも立体視された際に手前に表示されるようになる。これによって、装置画像が立体映像に対して違和感のない映像となる。
【００７９】
この後、ＬＳＩ１８は、ステップＳ６〜Ｓ８と同様の動作を行なう（Ｔ８〜Ｔ１０）。なおＬＳＩ１８は、上記動作を繰り返し行ない、立体映像表示装置２に表示画面を順次出力する。なお、上記動作を繰り返し行なう際、ステップＴ６の動作は、二回目以降は省略するようにしてもよい。
【００８０】
本実施の形態によれば、例えば、字幕映像の視差情報に基づいて、装置画像の視差情報を調整できるので、容易な手段で、立体画像に対する装置画像の表示の違和感を軽減できる。
【００８１】
ここで本実施の形態が解決する課題および効果を簡単に説明する。本実施の形態のように字幕映像の視差情報に基づいて装置画像の視差情報を調整しない場合、立体映像データから最も前面に存在する物体の奥行き方向の位置を算出する必要がでてくる。これでは、立体映像データに装置画像を重ねて表示しようとする際に、一々立体映像データを解析しなければならなくなるため、時間がかかってしまう。そこで、本実施の形態のように構成すれば、装置画像を立体映像データに重ねる際、装置画像の違和感を軽減しつつ、短時間で実現できる。
【００８２】
また、本実施の形態では、立体映像データに付加される関連情報に、立体映像に関する字幕映像（又は、副映像）の視差情報を付加していることが前提である。すなわち、立体映像データを作成するコンテンツ事業者は、立体映像データとの整合を考えて、違和感のないように、字幕映像の視差情報を、立体映像データに付加しているはずである。したがって、本実施の形態では、このような背景に基づいて、実現している。つまり、本実施の形態では、立体映像データに付加された字幕映像の視差情報に基づいて、装置画像の視差情報を決定する。これによって、立体映像表示制御装置は、立体映像データに対する装置画像の重ね合わせの位置である視差情報を、容易に決定でき、立体映像データに対する装置画像の重ね合わせを、違和感を軽減した状態で設定できる。
【００８３】
なお、図１２のように、立体映像に重畳される字幕映像や副映像が左眼映像、右眼映像の両方の映像を持っている場合には、字幕映像、又は、副映像の左眼映像及び右眼映像によって左右の視差情報を算出するようにするとよい。このようにすれば、主映像（立体映像）の映像データの解析が必要なくなるので、より簡易な手段で、立体映像に対する違和感のない装置画像の視差情報を算出できる。
〔５．本実施の形態の本発明の対応関係〕
立体映像表示制御装置１は、表示制御装置の一例である。また、立体映像データは、立体映像情報の一例と、字幕映像は、第１付加画像の一例である。装置画像は、第２付加画像の一例である。字幕映像の視差情報は、第１位置情報の一例である。装置画像の視差情報は、第２位置情報の一例である。
【００８４】
ＬＳＩ１８は、取得手段、付加手段の一例である。ＬＳＩ１８は、第１取得手段、第２取得手段、決定手段の一例である。
〔６．まとめ〕
本実施の形態における立体映像表示制御装置１は、立体映像データと、立体映像データに重ね合わせて表示可能な字幕映像と、字幕映像の視差情報と、を取得するＬＳＩ１８と、装置画像を取得する第２取得手段と、字幕映像の視差情報に基づいて、装置画像の視差情報を決定するＬＳＩ１８と、装置画像の視差情報に基づいて、装置画像を立体映像情報に重ね合わせるＬＳＩ１８と、を備える。
【００８５】
このようにすれば、装置画像を立体映像に重ね合わせる場合において、より簡易な手段で立体映像に装置画像を重ね合わせることができ、立体映像に対する装置画像の奥行き方向の違和感を軽減できる。
（他の実施の形態）
本発明の一実施の形態として、実施例１を説明した。しかし、本発明は、これに限られず種々の形態で実現することが可能である。以下、他の実施の形態を説明する。
【００８６】
本実施の形態では、字幕映像の視差情報を、立体映像データに対して相対的な情報で表現した例を説明した。しかし、これに限られず、字幕映像の視差情報を、絶対的な情報で表示してもよい。この場合、ＡＶ入出力回路１８４は、立体情報の視差情報を考慮して、左眼映像及び右眼映像に字幕映像を重ね合わせる。例えば、ＡＶ入出力回路１８４は、立体映像の視差情報が  Ｗ  ｍｍであり、字幕映像の視差情報が  Ｋ  ｍｍである場合、左眼映像に  （Ｋ−Ｗ）／２  ｍｍの左方向に対するオフセットを付けて、字幕映像を重ね合わせる。一方、ＡＶ入出力回路１８４は、上記条件の場合、右眼映像に  （Ｋ−Ｗ）／２  ｍｍの右方向に対するオフセットを付けて、字幕映像を重ね合わせる。ＡＶ入出力回路１８４は、このようにして生成した左眼映像及び右眼映像に対して、上記説明した視差情報で画面全体にオフセットをつけ、表示画面を示すデータを生成する。ＡＶ入出力回路１８４は、このようにして生成された表示画面を示すデータを、立体映像表示装置２に出力する。
【産業上の利用可能性】
【００８７】
本発明は、立体映像を表示可能なテレビ受像機や、ディスプレイに接続可能な録再機に適用可能である。
【符号の説明】
【００８８】
１    立体映像表示制御装置
２    立体映像表示装置
３    サーバ
４    光ディスク
５    アンテナ
６    メモリカード
７    アクティブシャッターメガネ
１１    ディスクドライブ
１２    チューナー
１３    ネットワーク通信インターフェース
１４    メモリデバイスインターフェース
１５    データ伝送インターフェース
１６    バッファメモリ
１７    ＨＤドライブ
１８    ＬＳＩ
１８１    ＣＰＵ
１８２    ストリームコントローラ
１８３    デコーダー
１８４    ＡＶ入出力回路
１８５    システムバス
１８６    メモリコントローラ
１９    フラッシュメモリ
２１    データ伝送インターフェース
２２    コントローラ
２３    メモリ
２４    ディスプレイ
２５    通信インターフェース
【図１】
2012089906.tif 000003
【図２】
2012089906.tif 000004
【図３】
2012089906.tif 000005
【図４】
2012089906.tif 000006
【図５】
2012089906.tif 000007
【図６】
2012089906.tif 000008
【図７】
2012089906.tif 000009
【図８】
2012089906.tif 000010
【図９】
2012089906.tif 000011
【図１０】
2012089906.tif 000012
【図１１】
2012089906.tif 000013
【図１２】
2012089906.tif 000014